(57)【要約】【課題】振り出し量を簡単に変更できる振り出し容器用キャップを提案する。【解決手段】表裏を貫通する複数の開孔を有する天面板１ｂを有し容器の口部において固定保持されるベース１と、このベース１の天面板１ｂの上面部に回動可能に保持され該開孔を露出させる窓孔３を有する蓋体２とを備えたもので構成する。そして、蓋体２に、該蓋体２の回動中心を通りその部位を直接把持して該蓋体２の回動を誘導する少なくとも１つのリブ４を設ける。リブ４としては、蓋体の上面部に位置する横リブと、ベースの周壁の外側面に位置する縦リブから構成される。【選択図】図１
2011111227.tif 000002
【特許請求の範囲】
【請求項１】
表裏を貫通する複数の開孔を有する天面板を有し容器の口部において固定保持されるベースと、このベースの天面板の上面部に回動可能に保持され該開孔を露出させる窓孔を有する蓋体とを備え、
前記蓋体に、該蓋体の回動中心を通りその部位を直接把持して該蓋体の回動を誘導する少なくとも１つのリブを設け、
前記リブが、前記蓋体の上面部に位置する横リブと、前記ベースの周壁の外側面に位置する縦リブからなる、ことを特徴とする振り出し容器用キャップ。
【請求項２】
前記複数の開孔は、サイズ毎にひと括りとした少なくとも二種類の集合体からなる、請求項１記載の振り出し容器用キャップ。
【請求項３】
前記リブが蓋体の上面に配置される横リブと、この横リブの尾端につながりベースの周壁に沿って垂下する縦リブからなる、請求項１又は２記載の振り出し容器用キャップ。
【請求項４】
前記横リブが、前記蓋体の回動中心に一致する交点をもった十字形状をなす、請求項３記載の振り出し容器用キャップ。
【発明の詳細な説明】
【技術分野】
【０００１】
本発明は、容器を反転して該容器を上下に振動させる振り出し動作によって容器内の内容物を排出するのに好適なキャップに関するものであり、内容物の振り出し量の変更を簡便に行い使い勝手の改善を図ろうとするものである。
【０００２】
粒子径の小さい、例えば、こしょう等の調味剤を入れる容器としては、その口部に複数の開孔を有するキャップを装着して、蓋体をワンタッチで開放したのち該キャップの開孔が下側に向くように容器を反転、該容器自体を上下に振動させる振り出し動作を行なうことで内容物の適量排出を可能としていた（例えば特許文献１参照）。
【先行技術文献】
【特許文献】
【０００３】
【特許文献１】実開平５−２４５５７号公報
【０００４】
ところで、この種のキャップは、普通、内容物の排出口が同じサイズになる開孔を複数集合させたものからなっており、一回の振り出し動作による内容物の排出量がほぼ一定であることから、内容物をより多く振り出す場合やより少なく振り出す場合には、振り出し動作の回数を適宜調整することによって行っており、この種の容器にあっては使い勝手がよいとはいえないのが現状であった。
【発明の概要】
【発明が解決しようとする課題】
【０００５】
本発明の課題は、内容物の排出量を簡便な操作によって調整し得る、使い勝手のよい振り出し容器用キャップを提案するところにある。
【課題を解決するための手段】
【０００６】
本発明は、表裏を貫通する複数の開孔を有する天面板を有し容器の口部において固定保持されるベースと、このベースの天面板の上面部に回動可能に保持され該開孔を露出させる窓孔を有する蓋体とを備え、
前記蓋体に、該蓋体の回動中心を通りその部位を直接把持して該蓋体の回動を誘導する少なくとも１つのリブを設け、前記リブが、前記蓋体の上面部に位置する横リブと、前記ベースの周壁の外側面に位置する縦リブからなる、ことを特徴とする振り出し容器用キャップである。
【０００７】
上記の容器において、複数の開孔は、サイズ毎にひと括りとした少なくとも二種類の集合体にて構成するのが好ましい。
【０００８】
また、リブとしては、蓋体の上面に配置される横リブと、この横リブの端部につながりベースの周壁に沿って垂下する縦リブからなるものにて構成することができる。とくに横リブについては、蓋体の回動中心に一致する交点をもった十字形状をなすものを適用するのが望ましい。
【発明の効果】
【０００９】
ベースの天面板に、少量、普通、大量など、サイズ毎にひと括りとした開孔の集合体を複数設けておき、蓋体に設けた窓孔を、各集合体に対応させるべくリブを摘んで該蓋体を回動させるようにしたため、内容物の振り出し量を簡単な操作のもとに変更することが可能となり使い勝手が改善される。
【００１０】
リブを、蓋体の上面に配置される横リブのみならず、この横リブの端部からベースの周壁に沿って垂下する縦リブから構成することで、蓋体は上からは勿論、横からも回すことができる利点がある。
【００１１】
天面板に開孔を有しない領域を設けておき、この領域に蓋体の窓孔を位置せしめることで容器の確実な密封が可能となる。
【図面の簡単な説明】
【００１２】
【図１】本発明にしたがう振り出し容器用キャップの実施の形態を容器に取り付けた状態で示した外観斜視図である。
【図２】図１のＨ−Ｈ断面を示した図である。
【図３】図１に示したキャップにつき、蓋体を取り外した状態を示した図である。
【発明を実施するための形態】
【００１３】
以下、図面を用いて本発明をより具体的に説明する。
図１は、本発明にしたがう振り出し用キャップの実施の形態を容器に取り付けた状態で示した外観斜視図であり、図２は図１に示したキャップの断面（Ｈ−Ｈ断面）を示した図である。
【００１４】
図における符号１は、容器の口部へのねじ止めにより固定保持することができるベースである（アンダーカットによる係合であってもよい。）。このベース１は、容器の口部を取り囲み、内面壁に口部外側壁に設けられたねじ部に係合するねじ部を有する周壁１ａと、この周壁１ａの上端部に段下がりをなして一体連結し容器の口部に対面して配置される天面板１ｂから構成されており、該天面板１ｂには、図３に示すように、内容物を排出するための開孔として、開孔をサイズ毎にひと括りとした三種類の集合体Ａ〜Ｃ（普通排出口Ａ、少量排出口Ｂ、大量排出口Ｃ）が形成されている。
【００１５】
また、２は、天面板１ｂの上面部に配置され、その縁部が段差部１ａ１において位置決めされた蓋体である。蓋体２は、その下面中央に一体的に設けられた軸部（爪付きの軸部）２ａが天面板１ｂの中央（中心）に設けられた開口１ｂ１に回動可能かつ抜け出し不能に嵌合している。
【００１６】
３は、蓋体２に設けられた窓孔である。この窓孔３は、集合体Ａ〜Ｃのそれぞれを露出させることができるサイズの輪郭形状を有しており、蓋体２を回動させ各集合体Ａ〜Ｃのうちの何れか一つに合致させることにより対応する集合体からの内容物の振り出しを可能としており、天面板１ｂの閉鎖部Ｄに位置せしめることにより容器の密封する。
【００１７】
４は、蓋体２に一体的に設けられ該蓋体２を回動させる際に直接把持して該蓋体２の回動を誘導するためのリブである。このリブ４は、この例では、蓋体２の上面に配置された十字形状をなす横リブ４ａ〜４ｄと各横リブ４ａ〜４ｄの尾端につながりベース１の周壁１ａに沿って垂下する縦リブ４ｅ〜４ｈから構成されていて、横リブ４ａ〜４ｄの下端部が周壁１ａの上端部に当接しその部位で横リブ４ａ〜４ｄが摺動しながら蓋体２を回動させる。
【００１８】
上記の構成になるキャップは、リブ４を直接把持して蓋体２を回動させるのみで内容物の振り出し量の変更が可能となっており、使い勝手がよい。また、蓋体２の窓孔３を、天面板１ｂの閉鎖部Ｄに位置せしめることで容器の確実な密封が可能であり内容物の品質を安定的に保持できる。蓋体２の回動に際しては、横リブ４ａ〜４ｄ、縦リブ４ｅ〜４ｈの何れかを把持すればよく、状況に応じた蓋体２の回動が可能であり、この点においても使い勝手が改善されている。
【００１９】
蓋体２の各集合体Ａ〜Ｃに対する位置決めは、該蓋体２の縁部に凹部を設け、天面板１ｂに該凹部に適合する凸部を設けることにより実現できるが、所望とする集合体Ａ〜Ｃは窓孔３から露出するものであり目視でもって容易に把握することができるので、位置決め手段については、必要に応じて適宜設けられる。
【００２０】
リブ４は、この例では、蓋体２の回動中心を起点にして十字状に４つ設けた場合について示したが、該リブ４は三本でもよいし二本あるいは一本でもよく、この点については限定されない。本発明にしたがう振り出し容器用キャップは、合成樹脂にて成形されるものであり、二つの部材にて構成できることから構造の簡素化が可能である。
【産業上の利用可能性】
【００２１】
振り出し量の簡単な変更と、容器の確実な密封が実現できる振り出し容器用キャップが提供できる。
【符号の説明】
【００２２】
１      ベース
１ａ    周壁
１ｂ    天面板
２      蓋体
２ａ    軸部
３      窓孔
４      リブ
４ａ〜４ｄ  横リブ
４ｅ〜４ｈ  縦リブ
Ａ〜Ｃ  集合体
Ｄ      閉鎖部
【図１】
2011111227.tif 000003
【図２】
2011111227.tif 000004
【図３】
2011111227.tif 000005